(57)【要約】【課題】玄関先に配置される椅子に設けられる手摺りを利用して腰を下ろしたり立ち上がったりでき、しかも手摺りに掴まり立ちしても安定性の高い椅子の手摺り構造を提供する。【解決手段】座板２の框側端部に手摺り４が設けられ、該手摺り４には框面に接触して荷重を受ける高さ調整可能な支持脚部５を有する支持機構６を備えた。【選択図】図１
2006191954.tif 000002
【特許請求の範囲】
【請求項１】
建物の玄関先に座板の短手方向一方側を壁面に近接し長手方向の一方側を框に近接して配置される椅子の手摺り構造において、
座板の框側端部に手摺りが設けられ、該手摺りには框床面に接触して荷重を受ける高さ調整可能な支持脚部を有する支持機構を備えたことを特徴とする椅子の手摺り構造。
【請求項２】
手摺りは、環状に形成された把持部が座板面上及び框面上にオーバーハングして設けられることを特徴とする請求項１記載の椅子の手摺り構造。
【請求項３】
手摺りは、環状に形成された把持部のうち座板に平行部分が座板面に固定され、座板に垂直部分に支持機構が設けられていることを特徴とする請求項１記載の椅子の手摺り構造。
【請求項４】
支持機構の支持脚部を中心に回動可能な安定脚部が設けられることを特徴とする請求項１記載の椅子の手摺り構造。
【請求項５】
環状に形成された把持部には、壁面に接触してガタつきをなくす長さ調整可能なアーム部を有する当接機構を備えたことを特徴とする請求項１記載の椅子の手摺り構造。
【請求項６】
座板の框側端部に、壁面と平行な第１の手摺りと該第１の手摺りより高さが低く壁面と直交する第２の手摺りが交叉して設けられることを特徴とする請求項１記載の椅子の手摺り構造。
【請求項７】
第１の手摺りは、環状に形成された把持部のうち座板に平行部分が座板面に固定され、座板に垂直部分に支持機構が設けられていることを特徴とする請求項６記載の椅子の手摺り構造。
【請求項８】
建物の玄関先に座板の短手方向一方側を壁面に近接し長手方向の一方側を框に近接して配置される椅子の手摺り構造において、
座板の框側端部に、壁面と直交する向きに高さの異なる第１の手摺りと第２の手摺りが階段状に設けられることを特徴とする椅子の手摺り構造。
【発明の詳細な説明】
【技術分野】
【０００１】
本発明は、例えば一般住宅などの建物の玄関先の土間に配置され、履物を脱いで框に上がる際に利用する椅子の手摺り構造に関する。
【背景技術】
【０００２】
急速に高齢化社会に移行しつつある我が国においては、高齢者、足腰が不自由な身障者（以下「高齢者等」という）が全体として増えており、これらの高齢者等が玄関先等で履物を履き替える場合には、立ったまま背を丸めて履物を脱いだり履いたりする動作は足腰に過度の負担がかかり、苦痛を伴う場合が多い。また、脱いだ下履きを上履きに履き替る場合には履物を収納する必要があるため更に負担が大きい。
【０００３】
かかる課題を解決するため、図７（ａ）（ｂ）において、玄関の土間５１から框５２にわたってベンチ５３を設けることが考えられる。高齢者の場合、手摺り５４ａに掴まりながらベンチ５３に座って履物を脱いだり、手摺り５４ｂに掴まったままベンチ５３から立ち上がったりすることが好ましい。
【発明の開示】
【発明が解決しようとする課題】
【０００４】
しかしながら、図７（ａ）（ｂ）の手摺り５４ａは土間５１にアンカーボルト５５により固定されており、手摺り５４ｂは壁５６に設けられる柱５７の位置にねじ５８により固定されている。これらの手摺り５４ａ、５４ｂは一旦設置されると、床や壁にボルト穴が傷として残るため移設することは難しい。また、後付けで壁面等に据え付ける場合には、設置に適した箇所を探さなければならないため、設置作業を慎重に行わなければならない。また、一度据え付けるとその後の改変を行い難いという課題がある。
これに対して、玄関に配置される椅子に設けられる手摺りを利用すれば、設置についての制約や移設する際の建物の傷は生じない。しかしながら、利用者が掴まりながら座ったり立ち上がったりするため、不安定になり易いという課題がある。
【０００５】
本発明はこれらの課題を解決すべくなされたものであり、その目的とするところは、玄関先に配置される椅子に設けられる手摺りを利用して腰を下ろしたり立ち上がったりでき、しかも手摺りに掴まり立ちしても安定性の高い椅子の手摺り構造を提供することにある。
【課題を解決するための手段】
【０００６】
本発明は上記目的を達成するため、次の構成を備える。
建物の玄関先に座板の短手方向一方側を壁面に近接し長手方向の一方側を框に近接して配置される椅子の手摺り構造において、座板の框側端部に手摺りが設けられ、該手摺りには框面に接触して荷重を受ける高さ調整可能な支持脚部を有する支持機構を備えたことを特徴とする。
また、手摺りは、環状に形成された把持部が座板面上及び框面上にオーバーハングして設けられることを特徴とする。
或いは、手摺りは、座板上で壁面に平行に設置され、環状に形成された把持部のうち座板に平行部分が座板面に固定され、座板に垂直部分に支持機構が設けられていることを特徴とする。
また、支持機構の支持脚部を中心に回動可能な安定脚部が設けられることを特徴とする。
また、環状に形成された把持部には、壁面に接触してガタつきをなくす長さ調整可能なアーム部を有する当接機構を備えたことを特徴とする。
また、座板の框側端部に、壁面と平行な第１の手摺りと該第１の手摺りより高さが低く壁面と直交する第２の手摺りが交叉して設けられることを特徴とする。この場合、第１の手摺りは、環状に形成された把持部のうち座板に平行部分が座板面に固定され、座板に垂直部分に支持機構が設けられていることを特徴とする。
また、他の構成としては、建物の玄関先に座板の短手方向一方側を壁面に近接し長手方向の一方側を框に近接して配置される椅子の手摺り構造において、座板の框側端部に、壁面と直交する向きに高さの異なる第１の手摺りと第２の手摺りが階段状に設けられることを特徴とする。
【発明の効果】
【０００７】
上述した椅子の手摺り構造を用いれば、座板の框側端部に手摺りが設けられ、該手摺りには框面に接触して荷重を受ける高さ調整可能な支持脚部を有する支持機構を備えたので、手摺りより支持脚部を框面に接触するように高さ調整しておくことで、手摺りに掴まり立ちしても椅子は垂直荷重を受けることがないので、座板の長手方向の安定性が高い。
手摺りは、環状に形成された把持部が座板面上及び框面上にオーバーハングして設けられることにより、座板に座った状態から掴まり立ちがし易く、土間から框へ上がる際にも框から土間へ降りる際にも利用できる。
また、手摺りは、座板上で壁面に平行に設置され、環状に形成された把持部のうち座板に平行部分が座板面に固定され、座板に垂直部分に支持機構が設けられていることにより、オーバーハングがないため手摺りに掴まり立ちする際の垂直荷重を椅子脚部と支持脚部で分散して受けるため、座板の長手方向の安定性がさらに高まる。
また、支持機構の支持脚部を中心に回動可能な安定脚部が設けられることにより、安定脚部を框面に所定角度で張り出すことにより、座板の長手方向のみならず短手方向の安定性が高まる。
また、環状に形成された把持部には、壁面に接触してガタつきをなくす長さ調整可能なアーム部を有する当接機構を備えたことにより、手摺りに掴まり立ちした際に壁面への水平荷重をアーム部で受けるため、座板の長手方向のみならず短手方向の安定性も向上する。
また、座板の框側端部に、壁面と平行な第１の手摺りと該第１の手摺りより高さが低く壁面と直交する第２の手摺りが交叉して設けられることにより、高さの低い第２の手摺りに掴まりながら椅子から立ち上がったり座ったりすることができ、高さの高い第１の手摺りに掴まり立ちしながら土間から框ヘ上がったり框から土間へ降りたりすることができる。よって、高齢者にとっては履物を履きかえる際の身体の負担が減りしかも、掴まり立ちしても椅子脚部と支持脚部により垂直荷重を分散して受けるので安定性が高い。
また、座板の框側端部に、壁面と直交する向きに高さの異なる第１の手摺りと第２の手摺りが階段状に設けられることにより、高さの低い手前側の第１の手摺りに掴まりながら椅子から立ち上がったり座ったりすることができ、高さの高い第２の手摺りに掴まり立ちしながら土間から框ヘ上がったり框から土間へ降りたりすることができる。よって、高齢者にとっては履物を履きかえる際の身体の負担が減り、しかも座板短手方向に第１、第２の手摺りが設けられるため座板が幅広に設計されるので手摺りに掴まり立ちしても安定性が高く、手摺り構造を簡略化することができる。
【発明を実施するための最良の形態】
【０００８】
以下、本発明に係る椅子の手摺り構造の最良の実施形態について、添付図面を参照しながら説明する。
【０００９】
先ず、図１を参照して椅子の概略構成について説明する。
図１（ａ）（ｂ）（ｃ）において、椅子１は利用者が座る座板２と該座板２を支持する柱状の脚部３及び手摺り４を備えている。手摺り４は框側脚部３にねじ止めされている。手摺り４には框面に接触して荷重を受ける高さ調整可能な支持脚部５を有する支持機構６が設けられている。支持機構６は、例えば支持脚部５がねじ嵌合により回転することで高さ位置を変更できるようになっていても良いし、支持脚部５が筒体にスライド可能に収納されており所定位置で固定できるように構成されているなどの高さ調整機構により、任意の高さに調整することができる。手摺り４は、環状に形成された把持部７が座板面上及び框面上にオーバーハングして設けられる。
【００１０】
椅子１は、土間８に座板２の短手方向一方側を壁９に近接し長手方向の一方側を框１０に近接して配置される。手摺り４の支持機構６に設けられる支持脚部５を框面に接触して荷重を受ける高さ位置まで高さ調整して設置が完了する。これにより、手摺り４に掴まり立ちしても椅子１は垂直荷重を受けることがないので、座板２の長手方向の安定性が高い。
手摺り４は、環状に形成された把持部７が座板面上及び框面上にオーバーハングして設けられることにより、利用者が座板２に座った状態から掴まり立ちがし易く、土間８から框１０へ上がる際にも框１０から土間８へ降りる際にも利用できる。
【００１１】
次に、手摺り構造の他例について、図２を参照して説明する。図１と同一部材には同一番号を付して説明を援用する。図２（ａ）（ｂ）（ｃ）において、手摺り４は、壁９に平行に設置される。具体的には、手摺り４は環状に形成された把持部７のうち座板２に平行部分７ａが座板面に固定され、座板２に垂直部分７ｂに支持機構６が設けられている。支持機構６に設けられる支持脚部５は框面に接触して荷重を受ける高さ位置まで高さ調整して設置される。このような手摺り構造によれば、椅子１側及び框１０側にオーバーハングがないため、手摺り４に掴まり立ちする際の垂直荷重を椅子脚部３と支持脚部５で分散して受けるため、座板２の長手方向の安定性がさらに高まる。
【００１２】
次に、手摺り構造の他例について、図３を参照して説明する。図１と同一部材には同一番号を付して説明を援用する。図３（ａ）（ｂ）（ｃ）において、手摺り４は、図１と同様であり、框側脚部３にねじ止めされている。手摺り４には框面に接触して荷重を受ける高さ調整可能な支持脚部５を有する支持機構６が設けられている。手摺り４は、環状に形成された把持部７が座板面上及び框面上にオーバーハングして設けられる。また、支持機構６の支持脚部５を中心に回動可能な安定脚部１１が設けられる。この安定脚部１１を図３（ｂ）の実線方向に張り出すことで、手摺り４に掴まり立ちする際の座板長手方向の安定性が向上する。また、安定脚部１１を図３（ｂ）の破線方向（実線方向から時計回り方向へ４５度回転）に張り出すことにより、座板長手方向のみならず短手方向の安定性も向上する。
【００１３】
次に、手摺り構造の他例について、図４を参照して説明する。図１と同一部材には同一番号を付して説明を援用する。図４（ａ）（ｂ）（ｃ）において、手摺り４は、図２と同様であり、壁９に平行に設置される。手摺り４は環状に形成された把持部７のうち座板２に平行部分７ａが座板面に固定され、座板２に垂直部分７ｂに支持機構６が設けられている。支持機構６に設けられる支持脚部５は框面に接触して荷重を受ける高さ位置まで高さ調整して設置される。また、把持部７には、壁９の壁面に接触してガタつきをなくす長さ調整可能なアーム部１２を有する当接機構１３が設けられている。
【００１４】
当接機構１３は、例えばアーム部６がねじ嵌合により回転することでアーム長を変更できるようになっていても良いし、アーム部６が筒体にスライド可能に収納されており所定位置で固定できるように構成されているなどの長さ調整機構により、任意の長さに調整することができる。この手摺り構造によれば、手摺り４に掴まり立ちした際に壁面への水平荷重をアーム部６で受けるため、座板２の長手方向のみならず短手方向の安定性も向上する。
【００１５】
次に、手摺り構造の他例について、図５を参照して説明する。図１と同一部材には同一番号を付して説明を援用する。図５（ａ）（ｂ）（ｃ）において、座板２の框側端部に、壁面と平行な第１の手摺り１４と該第１の手摺り１４より高さが低く壁面と直交する第２の手摺り１５が交叉（直交）して設けられる。第１の手摺り１４は図２と同様であり、壁９に平行に設置される。第１の手摺り１４は、環状に形成された把持部７のうち座板２に平行部分７ａが座板面に固定され、座板２に垂直部分７ｂに支持機構６が設けられている。支持機構６に設けられる支持脚部５は框面に接触して荷重を受ける高さ位置まで高さ調整して設置される。第２の手摺り１５は、座板２の上面框側端部に固定されている。
【００１６】
上記手摺り構造によれば、高さの低い第２の手摺り１５に掴まりながら椅子から立ち上がったり座ったりすることができ、高さの高い第１の手摺り１４に掴まり立ちしながら土間８から框１０ヘ上がったり框１０から土間８へ降りたりすることができる。よって、高齢者にとっては履物を履きかえる際の身体の負担が減りしかも、掴まり立ちしても椅子脚部３と支持脚部５により垂直荷重を分散して受けるので安定性が高い。
【００１７】
次に、椅子の手摺り構造の他例について、図６を参照して説明する。図１と同一部材には同一番号を付して説明を援用する。図６（ａ）（ｂ）において、椅子１は建物の玄関先に座板２の短手方向一方側を壁面に近接し長手方向の一方側を框１０に近接して配置されるのは同様である。椅子１の座板２には、框側端部に壁９の壁面と直交する向きに高さの異なる第１の手摺り１６と第２の手摺り１７が階段状に設けられる。
【００１８】
利用者は、高さの低い第１の手摺り１６に掴まりながら椅子１から立ち上がったり座ったりすることができ、高さの高い第２の手摺り１７に掴まり立ちしながら土間８から框１０ヘ上がったり框１０から土間８へ降りたりすることができる。この場合には、高齢者にとっては履物を履きかえる際の身体の負担が減り、しかも座板短手方向に第１、第２の手摺り１６、１７が設けられるため座板２が幅広に設計されるので手摺りに掴まり立ちしても安定性が高い。また、第１、第２の手摺り１６、１７には垂直荷重を受ける支持機構を設ける必要がないので、手摺りの構造が簡略化できる。
【図面の簡単な説明】
【００１９】
【図１】椅子の手すり構造を示す正面図、平面図、右側面図である。
【図２】他例に係る椅子の手摺り構造の正面図、平面図、右側面図である。
【図３】他例に係る椅子の手摺り構造の正面図、平面図、右側面図である。
【図４】他例に係る椅子の手摺り構造の正面図、平面図、右側面図である。
【図５】他例に係る椅子の手摺り構造の正面図、平面図、右側面図である。
【図６】他例に係る椅子の手摺り構造の正面図及び右側面図である。
【図７】従来の玄関構造の一例を示す正面図及び平面図である。
【符号の説明】
【００２０】
１  椅子
２  座板
３  脚部
４  手摺り
５  支持脚部
６  支持機構
７  把持部
８  土間
９  壁
１０  框
１１  安定脚部
１２  アーム部
１３  当接機構
１４、１６  第１の手摺り
１５、１７  第２の手摺り
【図１】
2006191954.tif 000003
【図２】
2006191954.tif 000004
【図３】
2006191954.tif 000005
【図４】
2006191954.tif 000006
【図５】
2006191954.tif 000007
【図６】
2006191954.tif 000008
【図７】
2006191954.tif 000009